(57)【要約】  【課題】妊婦に衝撃を与えることで分娩を促進する分娩装置において、大きな衝撃力が加わる踏み台を折り畳み式にかつ堅牢に支持できる構造を実現する。  【解決手段】妊婦に衝撃力を与えることで分娩を促進する分娩装置において、妊婦の両足を保持する踏み台１６を分娩台Ｂの上に折り畳めるようにヒンジを介して取付け、しかも踏み台１６の裏側に、折り畳めるように下端にヒンジ１８を介在させた支持板１７を配置し、この支持板１７の先端と踏み台１６とを着脱具１９で連結する構造であり、前記支持板１７の内面に補強手段を接合して補強してある。この踏み台１６の裏側から踏み台１６を支持するつっかい手段２０を設けてある。【選択図】図４
2015008861.tif 000002
【特許請求の範囲】
【請求項１】
妊婦に衝撃力を与えることで分娩を促進する分娩装置において、妊婦の両足を保持する踏み台を分娩台の上に折り畳めるようにヒンジを介して分娩台に取付け、しかも踏み台の裏側に、折り畳めるようにヒンジを介在させて前記分娩台に取付けた支持板を配置し、この支持板の先端と踏み台とを着脱具で連結する構造であり、前記支持板の内面に補強手段を接合して補強してあることを特徴とする折り畳み式分娩装置。
【請求項２】
前記踏み台の裏側から踏み台を支持するつっかい手段を有し、このつっかい手段は、前記支持板の内面に折り畳んで重ねられるように、ヒンジを介して前記支持板に取付けてあることを特徴とする請求項１に記載の折り畳み式分娩装置。
【請求項３】
前記踏み台の周縁を折り曲げることにより補強してあることを特徴とする請求項１又は請求項２に記載の折り畳み式分娩装置。
【請求項４】
妊婦の腹部を分娩台に縛るベルトを選択的に挿通できるように、２本の鉄筋かパイプを平行にして、スペーサを所定の間隔を置いて溶接し、下側の鉄筋やパイプを挿通する支持パイプを分娩台の左右端に溶接し固定してあることを特徴とする請求項１、請求項２又は請求項３に記載の折り畳み式分娩装置。
【請求項５】
分娩台上の妊婦が両手で頭上で把持できる把持ロッドの両側のアームが、コ字状に曲げた形状に形成され、その下辺の両アーム端を、前記分娩台の上端の両側に固定されたパイプに挿入し、このパイプ及び／又は前記下辺アーム端に所定間隔で横穴を開けて、ボルトやピンを挿入する位置を選定する構造としたことを特徴とする請求項１から請求項４までのいずれかに記載の折り畳み式分娩装置。          
【請求項６】
妊婦の足の甲を押さえたり足首を縛るベルトを通すベルト通しを、踏み台の両側面に取付けたパイプに挿入して折り畳める構造になっており、しかも基枠の踏み台側端に左右２個の取っ手を、出し入れ自由に設けてあることを特徴とする請求項１から請求項５までのいずれかに記載の折り畳み式分娩装置。
【発明の詳細な説明】
【技術分野】
【０００１】
本発明は、妊婦や胎児に適度な衝撃を与えることで円滑に分娩可能な分娩装置に関し、折り畳み式にして、搬送や保管が容易な構造とする。
【背景技術】
【０００２】
本発明の発明者は、折り畳み式の分娩装置として、特許文献１のように、分娩台を傾斜姿勢にした状態で、分娩台上の分娩姿勢の妊婦に身長方向下向きの軽い衝撃を与え、分娩を効果的に促進させる分娩装置を提案した。折り畳み構造にするために、身長方向にスライド可能な分娩台と、分娩台の脚方向へのスライドにより互いに衝突し合うストッパーおよび衝突部とを具備する構成とし、また、妊婦の脚を保持する踏み台を折り畳み式に取付けた構造になっている。
【先行技術文献】
【特許文献】
【０００３】
【特許文献１】特開2009−233000
【発明の概要】
【発明が解決しようとする課題】
【０００４】
ところが、妊婦に衝撃力が加わる際に、妊婦の全体重が衝撃力となって踏み台に作用するので、踏み台を丈夫な構造にしたり、堅牢に支持する必要がある。この踏み台は、分娩台の面と直角に立っているため、コンパクトに折り畳める構造が望ましい。
本発明の技術的課題は、このような問題に着目し、妊婦に衝撃を与えることで分娩を促進する分娩装置において、大きな衝撃力が加わる踏み台を折り畳み式にかつ堅牢に支持できる構造を実現することにある。  
【課題を解決するための手段】
【０００５】
本発明の技術的課題は次のような手段によって解決される。請求項１は、妊婦に衝撃力を与えることで分娩を促進する分娩装置において、妊婦の両足を保持する踏み台を分娩台の上に折り畳めるようにヒンジを介して分娩台に取付け、しかも踏み台の裏側に、折り畳めるようにヒンジを介在させて前記分娩台に取付けた支持板を配置し、この支持板の先端と踏み台とを着脱具で連結する構造であり、前記支持板の内面に補強手段を接合して補強してあることを特徴とする折り畳み式分娩装置である。
【０００６】
請求項２は、前記踏み台の裏側から踏み台を支持するつっかい手段を有し、このつっかい手段は、前記支持板の内面に折り畳んで重ねられるように、ヒンジを介して前記支持板に取付けてあることを特徴とする請求項１に記載の折り畳み式分娩装置である。
【０００７】
請求項３は、前記踏み台の周縁を折り曲げることにより補強してあることを特徴とする請求項１又は請求項２に記載の折り畳み式分娩装置である。
【０００８】
請求項４は、妊婦の腹部を分娩台に縛るベルトを選択的に挿通できるように、２本の鉄筋かパイプを平行にして、スペーサを所定の間隔を置いて溶接し、下側の鉄筋やパイプを挿通する支持パイプを分娩台の左右端に溶接し固定してあることを特徴とする請求項１、請求項２又は請求項３に記載の折り畳み式分娩装置である。
【０００９】
請求項５は、分娩台上の妊婦が両手で頭上で把持できる把持ロッドの両側のアームが、コ字状に曲げた形状に形成され、その下辺の両アーム端を、前記分娩台の上端の両側に固定されたパイプに挿入し、このパイプ及び／又は前記下辺アーム端に所定間隔で横穴を開けて、ボルトやピンを挿入する位置を選定する構造としたことを特徴とする請求項１から請求項４までのいずれかに記載の折り畳み式分娩装置である。
【００１０】
請求項６は、妊婦の足の甲を押さえたり足首を縛るベルトを通すベルト通しを、踏み台の両側面に取付けたパイプに挿入して折り畳める構造になっており、しかも基枠の踏み台側端に左右２個の取っ手を、出し入れ自由に設けてあることを特徴とする請求項１から請求項５までのいずれかに記載の折り畳み式分娩装置である。
【発明の効果】
【００１１】
請求項１によると、妊婦の両足を保持する踏み台を分娩台の上に折り畳む構造としたので、踏み台も折り畳んで薄くできる。しかも、踏み台の裏側に、折り畳めるように下端をヒンジを介して分娩台に取付けた支持板を配置し、この支持板の先端と踏み台とを着脱具で連結する構造にして、前記支持板の内面に補強手段を接合して補強してあるので、スライド衝突時に大きな力が発生しても支障は生じない。
【００１２】
請求項２によると、前記踏み台の裏側から踏み台を支持するつっかい手段を有するので、スライド衝突によって踏み台に大きな力が生じても、損傷するなどの問題は生じない。また、このつっかい手段は、前記支持板の内面に折り畳んで重ねられるように、ヒンジを介して前記支持板に取付けてあるので、使用しないときは、つっかい手段もコンパクトに折り畳むことができる。
【００１３】
請求項３のように、前記踏み台の周縁を折り曲げることにより補強してあるので、スライド衝突時に、踏み台に妊婦を介して大きな力が作用しても耐えることができる。
【００１４】
請求項４のように、妊婦の腹部を分娩台にベルトで縛るので、妊婦が移動することができない。また、ベルトを選択的に挿通できるので、ベルトを挿通する位置を選べる。なお、不使用時は、左右のベルト通しを分娩台上に倒して折り畳み、保管や運搬を容易にする。
【００１５】
請求項５のように、分娩台上の妊婦が両手で頭上で把持できる把持ロッドの下辺の両アーム端を挿入したパイプ及び／又は前記下辺アーム端に所定間隔で横穴を開けて、ボルトやピンを挿入する位置を選定する構成にしたので、妊婦の身長に合わせて把持ロッドの位置を設定できる。
【００１６】
請求項６のように、妊婦の足の甲を押さえたり足首を縛るベルトを通すベルト通しを、踏み台の両側面に取付けたパイプに挿入して折り畳める構造になっているので、使用時は立てるが、不使用時はベルト通しを折り畳めるため、嵩張ることはない。しかも、基枠の踏み台側端に左右２個の取っ手を、出し入れ自由に設けてあるので、運搬などに使用しないときは、押し込んで目立たないようにできる。
【図面の簡単な説明】
【００１７】
【図１】本発明による折り畳み式分娩装置の全容を示す斜視図である。
【図２】図１の分娩装置の使用状態を示す側面図である。
【図３】本発明の分娩台を下方から見た斜視図である。
【図４】本発明の踏み台を立てた状態の側面図である。
【図５】踏み台を支持する支持板を開けて内側を見た斜視図である。
【発明を実施するための形態】
【００１８】
次に本発明による折り畳み式分娩装置が実際上どのように具体化されるか実施形態を説明する。図１は本発明による折り畳み式分娩装置の全容を示す斜視図、図２は使用状態を示す側面図である。図２のように、妊婦Ｗは傾斜した分娩台Ｂに仰向けになって横たわった状態で使用する。従って、妊婦Ｗの背骨の位置を中心線Ｃとすると、妊婦Ｗから見て、中心線Ｃに対し右側と左側とは左右対称の構造をしている。従って、図に現れない右側は左側と対称の構造とする。
【００１９】
この装置は、長方形枠状のベースとなる基枠Ｆ上に、同じく長方形枠状の傾斜枠ｆが支持されている。この傾斜枠ｆの上で傾斜に沿ってスライドする分娩台Ｂが載置されている。
傾斜枠ｆは、妊婦Ｗの頭側が高くなるように、基枠Ｆに取付けた左右の脚パイプ１・１の中に、傾斜枠ｆに取付けた脚パイプ２・２を挿入し、複数の横穴３…に挿通するボルトの位置を選択して挿入深さを調整し、分娩台Ｂの傾斜角度を設定する。なお、外側の脚パイプ１・１の内寸よりも、中側の脚パイプ２・２の外寸が幾分小さいことは言うまでもない。
妊婦Ｗの脚側は、傾斜枠ｆが基枠Ｆに対し回動できるように、支軸４・５を介して最短の距離で連結されている。従って、脚パイプ２・２を脚パイプ１・１から抜いて寝かすと、傾斜枠ｆや分娩台Ｂを基枠Ｆ上に折り畳むことができる。
【００２０】
図３は、分娩台Ｂを下方から見た斜視図であり、分娩台Ｂの左右と傾斜枠ｆとの間にはローラや車輪６…が介在している。Ｕ状のレバー７の左端側７１と右端側７２は、傾斜枠ｆの回動軸８に溶接などで固定してある。分娩台Ｂには、傾斜下側が前記左端側７１と右端側７２とで押し上げられるように横桟９が渡されている。
従って、図２の矢印のように、レバー７を傾斜下側に移動させると、回動軸８が回動することで、左端側７１と右端側７２の先端が前記矢印と逆向きに移動して横桟９を押し、分娩台Ｂ全体を傾斜の上側にテコの作用で押し上げる。
次に、レバー７から手を放すと、妊婦Ｗや分娩台Ｂの自重の作用で傾斜の坂下側にスライド移動し、分娩台Ｂの一部１０がストッパーＳに衝突して、分娩台Ｂや妊婦Ｗが停止する。このとき、妊婦Ｗの腹の中の胎児は、慣性の作用で子宮から出る方向の力が作用するので、レバー操作を何回か繰り返すことで分娩が可能となる。レバー操作による分娩台Ｂのスライドストロークは、０〜５ｃｍ程度であるが、これに限定はされない。
なお、レバー７が自動的に戻るようにバネなどの弾性手段の力で復帰させることもできる。
【００２１】
図２のように、分娩台Ｂ上の妊婦Ｗが両手で頭上で把持できる把持ロッド１１の両アーム１１Ｌと１１Ｒとが、コ字状に曲げた形状に形成され、その下辺の両アーム端を、前記分娩台Ｂの上端（妊婦Ｗの頭側端）両側に固定されたパイプ１２・１２に挿入固定してある。
このパイプ１２・１２及び／又は前記下辺アーム端に所定間隔で横穴を開けて、ボルトやピンを挿入する位置を選定することで、妊婦Ｗの身長に合わせて把持ロッド１１の位置を設定する。
【００２２】
さらに、妊婦Ｗが移動しないように、腹部上をベルト１３で分娩台Ｂに縛っている。このベルト１３を選択的に挿通できるように、２本の鉄筋やパイプを平行にして、スペーサ１４を所定の間隔を置いて溶接し、下側の鉄筋やパイプを挿通する支持パイプを分娩台Ｂの左右端に溶接し固定して、ベルト通し１５・１５を形成してある。
不使用時は、左右のベルト通し１５・１５を分娩台Ｂ上に倒して折り畳み、保管や運搬を容易にしている。
【００２３】
図４は、妊婦Ｗが分娩台Ｂ上で両足で踏む踏み台１６を立てた状態の側面図であり、折り畳むと、図１のようになる。この踏み台１６も分娩台Ｂ上に倒して折り畳めるように下端がヒンジｈを介して分娩台Ｂに取付けてあり、また踏み台１６が分娩台Ｂに対し直角に角度設定するために支持板１７を背部に設けてある。図５は、この支持板１７を開けて内側を見た斜視図で、下端はヒンジ１８、１８で分娩台Ｂ側に取付けてあり、踏み台１６の角度設定に際しては、上端をバックル１９で踏み台１６と着脱式に連結する。
踏み台１６は長方形状をしているが、外周４辺を各２ｃｍずつ直角に２回ずつ折り曲げ、断面がコの字状部16ｐに形成し補強してある。このように、外周を補強してあるが、分娩台Ｂ上の妊婦Ｗが瞬時に停止する際の両足を受けることを考慮して、両足の足裏が当接する部位を背面から先端面で押すつっかい手段２０・２０がヒンジ２１・２１を介して、踏み台１６を支える支持板１７の内面に左右両側に離して取付けてある。なお、支持板１７の周辺が５ｍｍ程度の高さに折り曲げて浅い側壁を設け、皿状の容器状に形成してある。
つっかい手段２０・２０がこのように大きな負荷を支持する必要があるので、このような負荷に耐えられるように、支持板１７の内面に同板１７とほぼ同じ高さの細いアルミパイプ又は細い四角柱（アルミ）２２・２２を溶接し補強してある。使用中、支持板１７が踏み台１６から外れないようにするため、上端に付設されたバックル１９を、周縁が断面コの字状部16ｐの表面に付設の鉤19ｐに引っ掛けて止める。つっかい手段２０・２０は、前記のヒンジ２１・２１で折り畳んで支持板１７の内面に収納でき、また支持板１７は、踏み台１６の上にヒンジ１８で折り畳まれる。
【００２４】
この踏み台１６の両側面には、妊婦Ｗの両足の甲を押さえたり足首を縛るベルト２３を通すベルト通し２４をヒンジを介して折り畳み式に取付けてある。このヒンジは、踏み台１６の両側面に溶接固定したパイプ２６にベルト通し２４の両端を折り返して挿入した構造になっている。ベルト通し２４は、使用時は立てるが、不使用時はヒンジで折り畳めるので、嵩張ることはない。
なお、基枠Ｆの左端に図示した左右２個の取っ手２５・２５は、出し入れ自由になっていて、運搬などに使用しないときは、押し込んで目立たないようにする。
【産業上の利用可能性】
【００２５】
以上のように、妊婦の両足を保持する踏み台を折り畳み構造とし、しかも踏み台の裏側から踏み台を支持するつっかい手段を左右両側に設けると共に折り畳み可能にヒンジを介して支持板の内面に取付けてあるので、妊婦に衝撃を与えることで分娩を促進する分娩装置において、大きな衝撃力が加わる踏み台を折り畳み式にかつ堅牢に支持できる。
【符号の説明】
【００２６】
Ｗ  妊婦
Ｂ  傾斜した分娩台
Ｃ  中心線
Ｆ  基枠
ｆ  傾斜枠
６…  ローラや車輪
７  Ｕ状のレバー
８  回動軸
９  横桟
Ｓ  ストッパー
１１  把持ロッド
１５  ベルト通し
１６  踏み台
ｈ  ヒンジ
１７  支持板
１８  ヒンジ
１９  バックル（止め金具）
19ｐ  鉤
２０  つっかい手段
２１  ヒンジ
２２  補強手段
２３  ベルト
２４  ベルト通し
２５・２５  取っ手
２６  パイプ
【図１】
2015008861.tif 000003
【図２】
2015008861.tif 000004
【図３】
2015008861.tif 000005
【図４】
2015008861.tif 000006
【図５】
2015008861.tif 000007